(57)【要約】      （修正有）【課題】情報処理網に接続されたサーバと複数ホスト端末システムで、デジタルファイルフォーマットの均質性欠如による表示の不都合を防ぐマルチメディアデータ電子出版システムを提供する。【解決手段】サーバは、データベース管理とホスト端末との交信用のソフトウェア、マルチメディアページの記述子を含むデジタルファイルが記録されたデータベースを備える。ホスト端末は、サーバのデータベースからダウンロードされたデジタルファイルの一時記録用ランダムアクセスメモリ、ダウンロードされたページの記述子に応じてファイルを表示可能な参照ソフトウェアを備える。デジタルファイルは、少なくとも２つの表示モードの記述子を含む。【選択図】図１
2015097086.tif 000002
【特許請求の範囲】
【請求項１】
コンピュータネットワークに接続された内容サーバ（１）、ディレクトリサーバ（４）、およびホスト端末（３）を備えるマルチメディアデータ出版システムであって、
前記内容サーバ（１）は、データベースの管理用および前記ホスト端末（３）との交信用ソフトウェアと、マルチメディアページ、前記マルチメディアページの少なくとも２つの表示モード用の記述子、および前記少なくとも２つの表示モードの切り換え手段を含む電子文書とが記憶されたメモリ（２）と、を備え、
前記ホスト端末（３）は、前記メモリ（２）からダウンロードされた前記電子文書を一時的に格納するランダムアクセスメモリと、ダウンロードされた前記マルチメディアページの記述子および前記ダウンロードされた切り換え表示手段に応じて前記マルチメディアページを少なくとも２つの表示モードの１つで表示可能な参照ソフトウェアと、を備え、
前記内容サーバ（１）が前記ディレクトリサーバ（４）のデータベース（５）に登録され、
前記参照ソフトウェアが前記ホスト端末（３）にコマンドウィンドウを表示することでアクティブとなるコマンドメニューによって、前記ホスト端末（３）から前記ディレクトリサーバ（４）へのアクセスが可能となり、前記ホスト端末（３）が前記ディレクトリサーバ（４）に記憶された前記内容サーバ（１）のアドレスを識別可能となるよう構成されていることで、前記ホスト端末（３）が前記内容サーバ（１）に接続され、
前記内容サーバ（１）に記憶されている前記電子文書の内容が、前記ホスト端末（３）から検索されて、前記交信用ソフトウェアによって前記ホスト端末（３）の前記ランダムアクセスメモリにダウンロードされ、
前記ダウンロードされた前記電子文書に含まれる前記マルチメディアページが前記参照ソフトウェアによって前記ホスト端末（３）に表示され、前記切り換え手段は前記ホスト端末（３）のポインティング周辺機器による前記マルチメディアページの表示領域の非アクティブ領域を指し示すキーの操作を検出することで、前記少なくとも２つの表示モードの記述子に基づいて前記マルチメディアページを切り換え表示するように構成されていることを特徴とするマルチメディア出版システム。
【発明の詳細な説明】
【技術分野】
【０００１】
本発明は、マルチメディアデータ電子出版システムに関する。
【背景技術】
【０００２】
先行技術において、イントラネット又はインターネット網においてマルチメディアページを編集することを可能にするＨＴＭＬフォーマット及び派生フォーマットが知られている。このフォーマットは、専用の参照ソフトウェアによって認識され、かつページ作成者によって決定された形に従った図形表示を起動させる記述子を用いたページ記述を備える。
【発明の概要】
【発明が解決しようとする課題】
【０００３】
しかしながら、ウェブサイトは、幾つかの不都合を有する。
【０００４】
最初に、ウェブサイトは、比較的複雑な使用メニューを有し、特殊な微調整を必要とし、混乱して重なり合う複数のディスプレイを利用し、かつ参照ツールに由来する二次技術情報によって、サイトに由来する主要な情報の比較的大きな隠蔽に最終的に至る「ナビゲータ」という名称で一般に指し示される、ホスト端末にインストールされた参照ソフトウェアの使用を必要とする。従って主要メッセージは、これらのナビゲータを設計する理由で、より効率的ではない。更に、他の使用中のアプリケーションと絶えず共存するために備えられていないアプリケーションが問題である。一般的に、ナビゲータがその１つである、幾つかのアクティブなアプリケーションに対し同時に作動することは、可能でない。
【０００５】
更にウェブサイトのフォーマットは、一方のソフトウェア環境の他方への表示の均質性が欠如するという理由で、不都合を引き起こしている。表示は、ナビゲータ及び使用する活用システムに応じて変化し、時に機能障害及び図形異常に至らせる。更にそれらは、著しい待ち時間を引き起こし、かつウェブフォーマットを使用するサイトは、プロトコル変換ゲートウェイを使用する場合を除いて、双方向テレビ又はＷＡＰのようなプロトコルと互換性がない。
【０００６】
最後に、サイト検索は、いかなる徹底性も保証せず、かつ任意なままであり、サイト配給元の制御から見落とされるサイト記録に対して自律的に機能する、検索エンジン及び索引作業システムの無秩序な増加という理由で困難である。
【課題を解決するための手段】
【０００７】
本発明の目的は、これらの様々な不都合を防ぐことである。
【０００８】
このために、本発明は、情報処理網に接続されたサーバ及び前記情報処理網に繋げられた複数のホスト端末を含むマルチメディアデータ電子出版システムであって、サーバは、データベース管理及びホスト端末との交信用のソフトウェア及びマルチメディアページの記述子を含むデジタルファイルが記録されたデータベースを含み、ホスト端末は、サーバのデータベースからダウンロードされたデジタルファイルの一時的記録用のランダムアクセスメモリ、及びダウンロードされたページの記述子に応じてファイルの視覚表示するための参照ソフトウェアを備え、少なくとも幾つかのデジタルファイルは、少なくとも２つの表示モードの、かつ好ましくは３つの異なる表示モードの記述子を含むことを特徴とするシステムに、最も一般的な意味において関する。
【０００９】
デジタルファイルは、参照ソフトウェアによってマルチメディア機能を実行するためにフォーマット及び予め決定された言語を尊重する電子文書から特に構成される。
【００１０】
好適には、前記モードの１つは、同一のデジタルファイルに含まれる第２の表示モードより大きなサイズのページディスプレイを生じさせる表示モードに対応する。
【００１１】
特殊な応用例によれば、ページに対応するデジタルファイルは、同一のファイルに含まれる様々な表示モード間の切り換え手段を更に含む。
【００１２】
好ましくは、切り換え手段は、ポインティング周辺機器がデジタルファイルによって発生した表示の非アクティブ領域を指し示す時に、ポインティング周辺機器のキーに対する作用の検出から構成される。
【００１３】
好適な応用例によれば、デジタルファイルは、表示ディスプレイ区域の幾何学的形の記述子を含む。
【００１４】
もう一つの特殊な応用例によれば、ファイルは、少なくとも１つの他のページをロード及び自動的に表示する記述子を含む。
【００１５】
好ましくは、ファイルは、共通ディスプレイ区域に表示される複数の双方向トレースをロード及び表示する記述子を含む。
【００１６】
本発明は、添付図面を参照する、非限定的な実施例の記載を読めばより良く理解されるであろう。
【図面の簡単な説明】
【００１７】
【図１】本発明によるシステムの略図を示す。
【発明を実施するための形態】
【００１８】
本発明によるシステムは、ＴＣＰ／ＩＰプロトコルを尊重し、かつｈｔｔｐフォーマットでデータを交換するためのインターネット網に、記載された実施例において連結された内容サーバ（１）を備える。
【００１９】
内容サーバは、内容サーバを構成する電子文書（デジタルファイル）が記録されたメモリ（２）を備える。ホスト端末（３）は、内容サーバの前記ファイルを活用するのに適した特殊な参照ソフトウェアを備える。
【００２０】
内容サーバへのネットサーファによるアクセスを可能にし、かつそれをネット上で見られるようにするために、唯一のディレクトリサーバ（４）のデータベース（５）に内容サーバの書き込みを予め行う。ホスト端末（３）が備える参照ソフトウェアは、コマンドメニューをアクティブにすることを可能にするコマンドウィンドウをディスプレイする。このウィンドウは、内容検索及び「アニメーションガイド」と呼ばれる特殊ファイルへのアクセスを可能にする。
【００２１】
このページは、テキスト検索基準により内容サーバを検索すること及び検索する内容サーバのデジタル構成要素が記録されたサーバ（１）のアドレスを識別することを可能にする。
【００２２】
これらの構成要素は、次にホスト端末（３）のランダムアクセスメモリにロードされる。これらの構成要素は、特殊な参照ソフトウェアによって認識され、かつ次に、参照ソフトウェアに付与されたメニューの使用を必要とせずに、大部分の機能性を確実にする。
【００２３】
以下の記載は、特殊な構成要素のフォーマット例に関する。
【００２４】
ファイルは：
−  ウィンドウ開放フラグ
−  メモリのリソース呼出し命令を含む領域に先立つフラグ
−  前記リソースの処理命令を含む領域に先立つフラグ
−  視覚対象の定義を含む領域に先立つ１つ又は幾つかのフラグ。
複数のフラグの場合、各フラグは、同一の内容ファイルの表示モードの１つに対応する対象の定義に対応する。唯一のフラグの場合、対象の定義は、条件付き出現インジケータを含み、インジケータは前記表示モードに対応する。
−  閉鎖フラグを含む構造を有する。
【００２５】
視覚対象の定義は、テキスト、テキストブロック、画像、幾何学的形、タイムシート（ｄｅｃｏｍｐｔｅ）等のディスプレイに関する。ファイルは、各モードに対して少なくとも２つの、かつ好ましくは３つの異なる定義を含む。幾つかのモードは静的対象の定義しか含まず、他のモードは、他のリソース又はファイルとの連結材のような動的対象の記述子を含み得る。
【図１】
2015097086.tif 000003